【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
データ通信を促進する方法、
該方法は下記を備える：
エンティティの間でネットワークＩＤを伝達するための該ネットワークＩＤのそれぞれに関連する少なくとも一つのパイロットと共に構造化された少なくとも一つのＯＦＤＭシンボルを利用すること、
該受信エンティティにより、検索メトリックに基づいてネットワークＩＤ候補を決定するための検索処理を採用すること、及び
選択メトリックに基づいて少なくとも一つの最適ネットワークＩＤ候補を決定するための選択処理を採用すること、
なお、該検索処理は該検索処理を促進するため仮定ネットワークＩＤを利用する。
【請求項２】
シンボル当たり一つのそれぞれのネットワークＩＤパイロットを持つＯＦＤＭシンボル構造を採用することをさらに備える請求項１記載の方法。
【請求項３】
さらに下記を備える請求項１記載の方法：
少なくとも一つのシンボルにおいてインタリーブされたそれぞれのネットワークＩＤパイロットを持つＯＦＤＭシンボル構造を採用すること。
【請求項４】
該エンティティはネットワーク及び／または移動デバイスを備える、請求項１記載の方法。
【請求項５】
更に下記を備える請求項１記載の方法：
ＯＦＤＭシンボルにおいて利用されるネットワークＩＤパイロットのスクランブルを促進するためネットワークＩＤの利用を通して該ＯＦＤＭシンボルを構築すること。
【請求項６】
更に下記を備える請求項５記載の方法：
該ネットワークＩＤパイロットのスクランブルを促進するため少なくとも一つのネットワークＩＤを種とする疑似雑音（ＰＮ）系列発生器を採用すること。
【請求項７】
請求項１記載の方法、
ここにおいて、該検索メトリックは：
【数１】
2011239421.tif 000001
に基づくチャネルの全エネルギーの不偏推定値のメトリックηを備え、ここでｎはｎ番目のパイロット・シンボル、
【数２】
2011239421.tif 000002
は干渉電力スペクトル密度（ＰＳＤ）エネルギー、そしてｓk(i) はｉ番目の仮定の下でのｋ番目の標本のエネルギーであり、λは所定の定数である。
【請求項８】
インタリーブされたネットワークＩＤのパイロット・シンボルに関する該検索メトリックは：
【数３】
2011239421.tif 000003
を備える、請求項７記載の方法。
【請求項９】
該検索処理は下記を備える請求項１記載の方法：
少なくとも一つの候補ネットワークＩＤリストを決定すること；
該検索メトリックに従って該候補リストから少なくとも一つのネットワークＩＤ候補集合を決定すること；及び
第一のネットワークＩＤ形式に関する先頭「Ｍ」候補リスト及び／または第二のネットワークＩＤ形式に関する先頭「Ｎ」候補リスト決定すること。
【請求項１０】
該選択処理は下記を備える請求項１記載の方法：
少なくとも一つの候補ネットワークＩＤに関する該選択メトリックを決定すること；及び
該選択メトリックに基づいて少なくとも一つの候補ネットワークＩＤリストから最適候補ネットワークＩＤを決定すること。
【請求項１１】
複数のネットワークＩＤの決定を促進するため該候補ネットワークＩＤリストから複数のネットワークＩＤ候補の最適組合せを決定することをさらに備える請求項１０記載の方法。
【請求項１２】
請求項１１記載の方法、
ここにおいて該最適組合せは
【数４】
2011239421.tif 000004
に基づく検索メトリックの最大値を備え、ここでＮＥＴＡは第一のネットワークＩＤを表し、ＮＥＴＢは第二のネットワークＩＤを表し、ＡＭ はサイズＭの第一のネットワークＩＤ候補集合であり、ＢＮ はサイズＮの第二のネットワークＩＤ候補集合であり、ηはｎ番目の候補に関する検索メトリックの値であり、そしてＳは選択処理からのいくつかの時間ダイバシティ組合せである。
【請求項１３】
該ネットワークＩＤは広域ネットワークＩＤ及び／またはローカルエリア・ネットワークＩＤを備える、請求項１記載の方法。
【請求項１４】
更に下記を備える請求項１３記載の方法：
該ローカルエリア・ネットワークＩＤ及び該広域ネットワークＩＤの両方を利用してスクランブルされたローカルエリア・ネットワークＩＤパイロットを持つＯＦＤＭシンボルを採用すること。
【請求項１５】
データ通信を促進するシステム、
該システムは下記を備える：
ネットワークＩＤのそれぞれに関連する少なくとも一つのパイロットを含む少なくとも一つのＯＦＤＭシンボルを利用することによってエンティティの間で少なくとも一つの該ネットワークＩＤを伝達する通信コンポーネント、
検索メトリックに基づいてネットワークＩＤ候補を決定するために検索処理を採用するように構成される検索コンポーネント、及び
選択メトリックに基づいて少なくとも一つの最適ネットワークＩＤ候補を決定するために選択処理を採用するように構成される選択コンポーネント、
なお、該検索処理は、該検索処理を促進するために仮定ネットワークＩＤを利用する。
【請求項１６】
該通信コンポーネントはそれぞれの各ネットワークＩＤパイロットに関する一つのＯＦＤＭシンボルを採用するように構成される、請求項１５記載のシステム。
【請求項１７】
請求項１５記載のシステム、ここにおいて
該通信コンポーネントは少なくとも一つのＯＦＤＭシンボルにおいてそれぞれのネットワークＩＤパイロットをインタリーブするように構成される。
【請求項１８】
受信エンティティが送信シンボルの送信源を識別することを可能にするデータ通信を促進するシステム：
該システムは下記を備える：
ネットワークＩＤのそれぞれに関連する少なくとも一つのパイロットを含む少なくとも一つのＯＦＤＭシンボルを利用することによってエンティティの間で少なくとも一つの該ネットワークＩＤを伝達する通信コンポーネント、
検索メトリックに基づいてネットワークＩＤ候補を決定するために検索処理を採用するように構成される検索コンポーネント、
選択メトリックに基づいて少なくとも一つの最適ネットワークＩＤ候補を決定するために選択処理を採用するように構成される選択コンポーネント、
ここにおいて、該通信コンポーネントはそれぞれの各ネットワークＩＤパイロットに関する一つのＯＦＤＭシンボルを採用するように構成され、
該検索処理は、該検索処理を促進するために仮定ネットワークＩＤを利用し、該検索メトリックはチャネルの全エネルギーの不偏推定値のメトリックを備える。
【請求項１９】
請求項１８記載のシステム、ここにおいて
該通信コンポーネントは少なくとも一つのＯＦＤＭシンボルにおいてそれぞれのネットワークＩＤパイロットをインタリーブするように構成される。
【請求項２０】
該受信エンティティはネットワークまたは移動デバイスのうちの少なくとも一つを具備する、請求項１９記載のシステム。
【請求項２１】
該パイロットのスクランブルを促進するため、少なくとも一つのネットワークＩＤを種として該通信コンポーネントを採用するように構成される疑似雑音（ＰＮ）系列発生器をさらに具備する、請求項２０記載のシステム。
【請求項２２】
該ネットワークＩＤは広域ネットワークＩＤまたはローカルエリア・ネットワークＩＤのうちの少なくとも一つを備える、請求項１８記載のシステム。
【請求項２３】
該ローカルエリア・ネットワークＩＤに関するパイロットは該ローカルエリア・ネットワークＩＤ及び該広域ネットワークＩＤの両者を使用してスクランブルされる、請求項２２記載のシステム。
【請求項２４】
該検索メトリックは、該仮定ネットワークＩＤに基づいて、該パイロットから導出されるチャネル・エネルギーの関数を具備する、請求項１に記載のシステム。
【請求項２５】
該検索メトリックは、該仮定ネットワークＩＤに基づいて、該パイロットから導出されるチャネル・エネルギーの関数を具備する、請求項１５に記載のシステム。